(57)【要約】【課題】  木造家屋の部屋の四隅上方で柱と連結されている縦横の胴差の隅部の狭いスペースに、簡単な工事で容易に設置することができる、火打梁とブレース連結具の両方の機能を備えた火打兼用ブレース連結具を提供する。【解決手段】  平面視略Ｌ字形に直角に連結された一対の、略等長の山型鋼からなる取付片４Ａ、４Ｂと、これらの取付片４Ａ、４Ｂ間に溶接固定された扁平な矩形状の角形鋼管からなる火打部材５と、これらの取付片４Ａ、４Ｂ間に固定された鋼製の支持板６と、当該支持板６の下面に固定された鋼製のブレース連結腕部７から構成され、ブレース連結部７の下端の水平部７Ｂに、部屋の上方に対角線方向に掛け渡されるブレース２の一端部がボルト１２とナット１３で連結固定される。【選択図】  図３
2014145218.tif 000002
【特許請求の範囲】
【請求項１】
それぞれ、長手方向に沿って垂直片の複数箇所に取付孔が形成されているとともに、斜めに切断されている一方の端の水平片の端面どうしを向き合わせて溶接して平面視略Ｌ字形に直角に連結され、垂直片を上向きにして設置される、一対の、略等長の山型鋼からなる取付片と、
両端部下面と両端面が、これらの両方の取付片の他方の端寄りの位置で、それぞれ対向する水平片の上面と垂直片の内側の側面に溶接されている、横断面が上下に扁平な角形鋼管からなる火打部材と、
直角二等辺三角形状に形成され、前記取付片どうしが直角に溶接されている角部に直角な角部を合わせて、それぞれの斜辺近傍で上面が前記両側の取付片の水平片の下面に溶接されている鋼製の支持板と、
前記支持板の下面に上端が固定され、下端にブレースの端部をボルト連結するボルト孔が形成されている水平部を有する鋼製のブレース連結腕部を備えたことを特徴とする火打兼用ブレース連結具。
【請求項２】
それぞれ、長手方向に沿って垂直片の複数箇所に取付孔が形成されているとともに、斜めに切断されている一方の端の水平片の端面どうしを向き合わせて溶接して平面視略Ｌ字形に直角に連結され、垂直片を上向きにして設置される、一対の、略等長の山型鋼からなる取付片と、
両端部下面と両端面が、これらの両方の取付片の他方の端寄りの位置で、それぞれ対向する水平片の上面と垂直片の内側の側面に溶接されている、横断面が上下に扁平な角形鋼管からなる火打部材と、
直角二等辺三角形状に形成され、前記それぞれの取付片の水平片どうしが溶接されている直角な隅部に角部を合わせて、それぞれの斜辺が両側の取付片の水平片の縁に溶接されているとともに、底辺近傍の上面が前記火打部材の下面に溶接されている鋼製の支持板と、
前記支持板の下面に上端が固定され、下端にブレースの端部をボルト連結するボルト孔が形成されている水平部を有する鋼製のブレース連結腕部を備えたことを特徴とする火打兼用ブレース連結具。
【請求項３】
それぞれ、長手方向に沿って垂直片の複数箇所に取付孔が形成されているとともに、斜めに切断されている一方の端の水平片の端面どうしを向き合わせて溶接して平面視略Ｌ字形に直角に連結され、垂直片を下向きにして設置される、一対の、略等長の山型鋼からなる取付片と、
両端部上面と両端面が、これらの両方の取付片の他方の端寄りの位置で、それぞれ対向する水平片の下面と垂直片の内側の側面に溶接されている、横断面が上下に扁平な角形鋼管からなる火打部材と、
直角二等辺三角形状に形成され、前記取付片どうしが直角に溶接されている角部に直角な角部を合わせて、それぞれの斜辺近傍で下面が両側の取付片の水平片の上面に溶接されている鋼製の支持板と、
前記支持板の下面に上端が固定され、下端にブレースの端部をボルト連結するボルト孔が形成されている水平部を有する鋼製のブレース連結腕部を備えたことを特徴とする火打兼用ブレース連結具。
【請求項４】
それぞれ、長手方向に沿って垂直片の複数箇所に取付孔が形成されているとともに、斜めに切断されている一方の端の水平片の端面どうしを向き合わせて溶接して平面視略Ｌ字形に直角に連結され、垂直片を下向きにして設置される、一対の、略等長の山型鋼からなる取付片と、
両端部上面と両端面が、これらの両方の取付片の他方の端寄りの位置で、それぞれ対向する水平片の下面と垂直片の内側の側面に溶接されている、横断面が上下に扁平な角形鋼管からなる火打部材と、
直角二等辺三角形状に形成され、前記それぞれの取付片の水平片どうしが溶接されている直角な隅部に角部を合わせて、それぞれの斜辺が両側の取付片の水平片の縁に溶接されているとともに、底辺近傍の下面が前記火打部材の上面に溶接されている鋼製の支持板と、
前記支持板の下面に上端が固定され、下端にブレースの端部をボルト連結するボルト孔が形成されている水平部を有する鋼製のブレース連結腕部を備えたことを特徴とする火打兼用ブレース連結具。
【請求項５】
互いに直角に連結されている一対の鋼板で構成され、平面視略Ｌ字形に縦向きにした姿勢で、その外側の直角な角部の上端部を互いに溶接されている一対の取付片の垂直片どうしの隅部に合わせて、前記それぞれの鋼板の外側の面の上縁近傍部分が、対応するそれぞれの垂直片の内側の側面に溶接されているとともに、前記それぞれの鋼板の下縁近傍部分に、胴差の下方に並行して配置される補強バーをボルト連結するための、取付孔が形成されているガセットプレートを備えたことを特徴とする請求項３又は４に記載の火打兼用ブレース連結具。
【請求項６】
ブレース連結腕部は、支持板に対して分解可能にボルト連結されていることを特徴とする請求項１乃至５の何れかに記載の火打兼用ブレース連結具。
【請求項７】
ブレース連結腕部は、支持板の直角な角部の二等分線上に長手方向の中心線を合わせて、その下面に配置される第１の水平部と当該水平部の前記支持板の底辺寄りの端から下方に所定長さ折り曲げられた中継部と当該中継部の下端から前記第１の水平部と反対側に水平に折り曲げられ、下面にブレースをボルト連結するための取付孔を有する第２の水平部からなる側面視略Ｚ字状に折り曲げられた一定幅の帯鋼と、
少なくとも、前記第１の水平部と第２の水平部にそれぞれ対応する平行な２辺を上下に有し、前記帯鋼を間に挟んでその幅方向両側の縁にそれぞれ溶接されている一対の鋼製の側板から構成されていることを特徴とする請求項１乃至６の何れかに記載の火打兼用ブレース連結具。
【発明の詳細な説明】
【技術分野】
【０００１】
本発明は、木造家屋の耐震補強等のために、部屋の上部に対角線方向に掛け渡すブレースを連結する連結具を、火打梁と一体化した火打兼用ブレース連結具に関する。
【背景技術】
【０００２】
近年、１９９５年１月１７日に発生した兵庫県南部地震によって引き起こされた阪神淡路大震災や、２０１１年３月１１日に発生した東北地方太平洋沖地震によって引き起こされた東日本大震災等、巨大地震による大災害が発生している。
【０００３】
前述したような巨大地震の発生時においては、特に、老朽化した木造家屋は、震動による過大な負荷に耐えられずに倒壊して多数の死者や負傷者が出たり、大切な家財を逸失するといった問題が発生している。
【０００４】
そのため、このような巨大地震を経験した後に建てられている住宅等の家屋においては、様々な耐震・免震構造が採用されてきており、木造家屋においては、各所に多数の火打梁やブレースを組み込んだり、剛床構造を採用する等、地震対策が強化されている。
【０００５】
しかしながら、前述したような巨大地震より前に建てられた木造家屋においては、地震対策が十分ではなく、火打梁等の補強部材の設置箇所が少なく、また、上階がある場合にはその床に剛床構造が採用されていないため、近年のような巨大地震が発生した場合には、揺れが大きくなって簡単に倒壊してしまう危険性がある。
【０００６】
そこで、このような古い木造家屋においては、柱と連結されている縦横の胴差間の隅部の火打梁が渡されていない箇所に、特許文献１に記載されているような木製の火打梁や、特許文献２に記載されているような鋼製の火打金物等を後から増設することにより、家屋の耐震補強を行っている。
【先行技術文献】
【特許文献】
【０００７】
【特許文献１】特開平１０−１１５００５
【特許文献２】特開２００４−１６９２７０
【発明の概要】
【発明が解決しようとする課題】
【０００８】
しかしながら、近年発生しているような大きな地震に対しては、老朽化した木造家屋に前述したような火打梁や火打金物を増設するだけでは、縦横の胴差間の剛性が不足するため、さらに、縦横の胴差の対角線方向に、ブレースを水平に掛け渡して、地震発生時の縦横の胴差間の角変位を可及的に少なくするように耐震補強する必要がある。
【０００９】
ところが、木造家屋の構造上、胴差よりも低い梁が部屋の内側上方に配置されている場合があり、このような場合には梁とブレース間の干渉を避けるために、この梁の側面にブレースを貫通させる孔を加工する必要があり、ブレースを掛け渡す工事に手間がかかるとともに、孔を設けたことによって、梁の強度を低下させてしまう問題があった。
【００１０】
そこで、本発明は、前述したような従来技術における問題を解決し、木造家屋の部屋の四隅上方で柱と連結されている縦横の胴差の隅部の狭いスペースに、簡単な工事で容易に設置することができる、火打梁とブレース連結具の両方の機能を備えた火打兼用ブレース連結具を提供することを目的とする。
【課題を解決するための手段】
【００１１】
前記目的のために提供される本発明の火打兼用ブレース連結具の第１のものは、それぞれ、長手方向に沿って垂直片の複数箇所に取付孔が形成されているとともに、斜めに切断されている一方の端の水平片の端面どうしを向き合わせて溶接して平面視略Ｌ字形に直角に連結され、垂直片を上向きにして設置される、一対の、略等長の山型鋼からなる取付片と、両端部下面と両端面が、これらの両方の取付片の他方の端寄りの位置で、それぞれ対向する水平片の上面と垂直片の内側の側面に溶接されている、横断面が上下に扁平な角形鋼管からなる火打部材と、直角二等辺三角形状に形成され、前記取付片どうしが直角に溶接されている角部に直角な角部を合わせて、それぞれの斜辺近傍で上面が前記両側の取付片の水平片の下面に溶接されている鋼製の支持板と、前記支持板の下面に上端が固定され、下端にブレースの端部をボルト連結するボルト孔が形成されている水平部を有する鋼製のブレース連結腕部を備えたものである。
【００１２】
また、本発明の火打兼用ブレース連結具の第２のものは、それぞれ、長手方向に沿って垂直片の複数箇所に取付孔が形成されているとともに、斜めに切断されている一方の端の水平片の端面どうしを向き合わせて溶接して平面視略Ｌ字形に直角に連結され、垂直片を上向きにして設置される、一対の、略等長の山型鋼からなる取付片と、両端部下面と両端面が、これらの両方の取付片の他方の端寄りの位置で、それぞれ対向する水平片の上面と垂直片の内側の側面に溶接されている、横断面が上下に扁平な角形鋼管からなる火打部材と、直角二等辺三角形状に形成され、前記それぞれの取付片の水平片どうしが溶接されている直角な隅部に角部を合わせて、それぞれの斜辺が両側の取付片の水平片の縁に溶接されているとともに、底辺近傍の上面が前記火打部材の下面に溶接されている鋼製の支持板と、前記支持板の下面に上端が固定され、下端にブレースの端部をボルト連結するボルト孔が形成されている水平部を有する鋼製のブレース連結腕部を備えたものである。
【００１３】
また、本発明の火打兼用ブレース連結具の第３のものは、それぞれ、長手方向に沿って垂直片の複数箇所に取付孔が形成されているとともに、斜めに切断されている一方の端の水平片の端面どうしを向き合わせて溶接して平面視略Ｌ字形に直角に連結され、垂直片を下向きにして設置される、一対の、略等長の山型鋼からなる取付片と、両端部上面と両端面が、これらの両方の取付片の他方の端寄りの位置で、それぞれ対向する水平片の下面と垂直片の内側の側面に溶接されている、横断面が上下に扁平な角形鋼管からなる火打部材と、直角二等辺三角形状に形成され、前記取付片どうしが直角に溶接されている角部に直角な角部を合わせて、それぞれの斜辺近傍で下面が両側の取付片の水平片の上面に溶接されている鋼製の支持板と、前記支持板の下面に上端が固定され、下端にブレースの端部をボルト連結するボルト孔が形成されている水平部を有する鋼製のブレース連結腕部を備えたものである。
【００１４】
また、本発明の火打兼用ブレース連結具の第４のものは、それぞれ、長手方向に沿って垂直片の複数箇所に取付孔が形成されているとともに、斜めに切断されている一方の端の水平片の端面どうしを向き合わせて溶接して平面視略Ｌ字形に直角に連結され、垂直片を下向きにして設置される、一対の、略等長の山型鋼からなる取付片と、両端部上面と両端面が、これらの両方の取付片の他方の端寄りの位置で、それぞれ対向する水平片の下面と垂直片の内側の側面に溶接されている、横断面が上下に扁平な角形鋼管からなる火打部材と、直角二等辺三角形状に形成され、前記それぞれの取付片の水平片どうしが溶接されている直角な隅部に角部を合わせて、それぞれの斜辺が両側の取付片の水平片の縁に溶接されているとともに、底辺近傍の下面が前記火打部材の上面に溶接されている鋼製の支持板と、前記支持板の下面に上端が固定され、下端にブレースの端部をボルト連結するボルト孔が形成されている水平部を有する鋼製のブレース連結腕部を備えたものである。
【００１５】
前記第３と第４の発明においては、互いに直角に連結されている一対の鋼板で構成され、平面視略Ｌ字形に縦向きにした姿勢で、その外側の直角な角部の上端部を互いに溶接されている一対の取付片の垂直片どうしの隅部に合わせて、前記それぞれの鋼板の外側の面の上縁近傍部分が、対応するそれぞれの垂直片の内側の側面に溶接されているとともに、前記それぞれの鋼板の下縁近傍部分に、胴差の下方に並行して配置される補強バーをボルト連結するための、取付孔が形成されているガセットプレートを備えていることが望ましい。
【００１６】
また、前記それぞれの発明においては、ブレース連結腕部は、支持板に対して分解可能にボルト連結されていることも望ましい。
【００１７】
さらに、前記それぞれの発明においては、ブレース連結腕部は、支持板の直角な角部の二等分線上に長手方向の中心線を合わせて、その下面に配置される第１の水平部と当該水平部の前記支持板の底辺寄りの端から下方に所定長さ折り曲げられた中継部と当該中継部の下端から前記第１の水平部と反対側に水平に折り曲げられ、下面にブレースをボルト連結するための取付孔を有する第２の水平部からなる側面視略Ｚ字状に折り曲げられた一定幅の帯鋼と、少なくとも、前記第１の水平部と第２の水平部にそれぞれ対応する平行な２辺を上下に有し、前記帯鋼を間に挟んでその幅方向両側の縁にそれぞれ溶接されている一対の鋼製の側板から構成されていることも望ましい。
【発明の効果】
【００１８】
請求項１に記載された発明に係る火打兼用ブレース連結具によれば、一対の取付片の設置高さよりも下面が低い位置にある梁が部屋の内側上方に存在している場合でも、ブレースは、これらの取付片より下方に位置する、ブレース連結腕部の下端の水平部に連結されるため、このような低い梁との干渉を避けることができる。
【００１９】
また、一対の取付片間に設けられている火打部材は、横断面が上下に扁平な角形鋼管で形成されているため、十分な圧縮強度を確保しつつ、両側の取付片の垂直片間にコンパクトに組み込まれている。
【００２０】
そのため、火打部材の上面が、これらの取付片を固定する胴差の上に配置されている、二階の床材を支える根太と干渉する虞がなく、柱が連結されている縦横の胴差の隅部の狭いスペース内に容易に設置することができる。
【００２１】
また、直角二等辺三角形状に形成されている鋼製の支持板は、それぞれの取付片とブレース連結腕部間を連結する役割を果たすとともに、火打部材とともに、これらの取付片間の角度変化を規制する補強部材としての役割を果たすため、地震発生時の柱に連結された縦横の胴差間の角変位を効果的に防ぐことができ、さらに、部屋の対角線方向に設置されるブレースと協働して優れた耐震補強効果を得ることができる。
【００２２】
請求項２に記載された発明に係る火打兼用ブレース連結具によれば、前述したような、請求項１に記載された発明の効果に加えてさらに、支持板の底辺の上面が火打部材の下面に溶接されているため、ブレースからブレース連結腕部に大きな引っ張り荷重が作用した場合にその撓み変形を抑制することができ、前述した火打兼用ブレース連結具と比較して、さらに、剛性や強度を高めることができる。
【００２３】
請求項３に記載された発明に係る火打兼用ブレース連結具によれば、前述した請求項１の発明の効果に加えてさらに、一対の取付片のそれぞれの垂直片が水平片に対して下方に向けられているため、火打兼用ブレース連結具の取付作業を行う際に、垂直片に形成された取付孔へ、コーチボルトや通しボルト等の取付けを下方の室内側から行えるため、作業性を高めることができる。
【００２４】
請求項４に記載された発明に係る火打兼用ブレース連結具によれば、前述した請求項２の発明の効果に加えてさらに、請求項３の発明と同様に、一対の取付片のそれぞれの垂直片が水平片に対して下方に向けられているため、火打兼用ブレース連結具の取付作業の作業性を高めることができる。
【００２５】
請求項５に記載された発明に係る火打兼用ブレース連結具によれば、ガセットプレートを介して、部屋の対角方向に水平に設置されたブレースの引っ張り荷重を受ける火打兼用ブレース連結具から縦横の胴差に作用する軸方向の圧縮荷重の一部が、これらの胴差の下方にそれぞれ並行して配置される補強バーに分担されるため、胴差の負担が軽減して家屋の耐震性をより高めることができる。
【００２６】
請求項６に記載された発明に係る火打兼用ブレース連結具によれば、さらに、ブレース連結腕部が支持板に対してボルト連結によって分解可能に固定されているため、火打兼用ブレース連結具を取付現場に搬入したり、保管する場合には、ブレース連結腕部を取り外しておくことにより、搬入作業が容易になるとともに、保管スペースを節約することができる。
【００２７】
また、上下寸法を異ならせたブレース連結腕部を複数種類製作しておき、残りの部分を同一仕様で共通に製作して、両者を適宜組み合わせることで、様々な形態の木造家屋に対して柔軟に対応することができるので、生産性を高めることができるとともに、製造コストを低減することができる。
【００２８】
請求項７に記載された発明に係る火打兼用ブレース連結具によれば、さらに、ブレース連結腕部は、側面視略Ｚ字状に折り曲げられた一定幅の帯鋼と、前記帯鋼を間に挟んでその幅方向両側の縁にそれぞれ溶接されている一対の鋼製の側板から構成されているため、製作が容易であるとともに、ブレースから受ける引っ張り力によって作用する水平軸回りの曲げモーメントや垂直軸回りの捩りモーメントに対抗できる十分な剛性と強度を確保することができる。
【図面の簡単な説明】
【００２９】
【図１】本発明の第１の実施形態を示す、火打兼用ブレース連結具が取り付けられている木造家屋一階内部の平面図である。
【図２】本発明の第１の実施形態における、火打兼用ブレース連結具の側面図である。
【図３】本発明の第１の実施形態における、火打兼用ブレース連結具の斜視図である。
【図４】本発明の第１の実施形態における、火打兼用ブレース連結具の平面図である。
【図５】本発明の第１の実施形態における、火打兼用ブレース連結具を裏側から見た斜視図である。
【図６】図４のＡ−Ａ断面を示す縦断面図である。
【図７】本発明の第２の実施形態における、火打兼用ブレース連結具の斜視図である。
【図８】本発明の第２の実施形態における、火打兼用ブレース連結具の縦断面図である。
【図９】本発明の第３の実施形態における、火打兼用ブレース連結具の斜視図である。
【図１０】本発明の第３の実施形態における、火打兼用ブレース連結具の縦断面図である。
【図１１】本発明の第３の実施形態における、火打兼用ブレース連結具に設けられたブレース連結腕部の斜視図である。
【図１２】本発明の第４の実施形態における、火打兼用ブレース連結具の斜視図である。
【図１３】本発明の第４の実施形態における、火打兼用ブレース連結具の設置状態を示す斜視図である。
【図１４】本発明の第４の実施形態における、火打兼用ブレース連結具の縦断面図である。
【図１５】本発明の第４の実施形態における、火打兼用ブレース連結具と補強バーの連結構造を示すガセットプレート部分の水平断面図である。
【図１６】補強バーと柱の連結に用いる連結金物の構造を示す斜視図である。
【図１７】補強バーと柱の連結構造を示す部分斜視図である。
【発明を実施するための形態】
【００３０】
以下、図面に基づいて、本発明の実施形態を説明する。
図１は、本発明の第１の実施形態を示す、火打兼用ブレース連結具が取り付けられている木造家屋一階内部の平面図である。
【００３１】
同図に示すように、木造家屋の一階の和室Ａ、洋室Ｂ、及び、ダイニングキッチンＣの各部屋の上方の四隅にはそれぞれ、本発明の火打兼用ブレース連結具１が取り付けられており、これらの火打兼用ブレース連結具１間には、部屋の対角線方向に複数のブレース２が掛け渡されている。
【００３２】
本実施形態においては、これらのブレース２は、上下に扁平な矩形断面を有する平鋼で製作されたものが用いられており、それぞれの一端側が、対応する火打兼用ブレース連結具１とボルト連結されているとともに、他端側が、部屋の中央の上方位置で鋼製の連結環３に連結されていて、各部屋は、四隅の火打兼用ブレース連結具１と、これらの間に渡されているブレース２によって耐震補強されている。
【００３３】
図２は、火打兼用ブレース連結具１の側面図、図３は、その斜視図、図４は、その平面図であって、これらの図に示すように、火打兼用ブレース連結具１は、平面視略Ｌ字形に直角に連結された一対の取付片４Ａ、４Ｂと、これらの取付片４Ａ、４Ｂ間に斜めに固定された火打部材５と、これらの取付片４Ａ、４Ｂ間に固定された支持板６と、当該支持板６の下面に取り付けられたブレース連結腕部７から構成されている。
【００３４】
これらの取付片４Ａ、４Ｂは、等長の山型鋼で形成されており、それぞれ水平片ａに対して垂直片ｂが上方に向いた姿勢で、一方の端で斜め４５度に切断加工されている水平片ａどうしを合わせて直角に溶接してある。また、図５に示すように、それぞれの取付片４Ａ、４Ｂの長手方向に沿って、垂直片ｂの複数箇所に取付孔ｈ１が形成されている。
【００３５】
図２及び図３に示すように、前記それぞれの取付孔ｈ１には、コーチボルト８が差し込まれて、取付片４Ａ、４Ｂを柱９と直交する縦横の胴差１０、１１の側面に、これらのコーチボルト８で固定することで、両方の胴差１０、１１と火打兼用ブレース連結具１どうしが一体的に連結固定されるようにしてある。
【００３６】
なお、取付片４Ａ、４Ｂを胴差１０、１１に連結固定する場合には、コーチボルト８に代えて、これらの胴差１０、１１に通しボルトを貫通し、反対側からナットを装着して固定するようにしてもよい。
【００３７】
また、火打部材５は、横断面が上下に扁平な角形鋼管の両端面を斜め４５度に切断加工して形成されており、その両端面と両端部下面がそれぞれ、これらの両方の取付片４Ａ、４Ｂの他方の端寄りの位置で、対向する水平片ａの上面と垂直片ｂの内側の側面に溶接されている。
【００３８】
支持板６は、直角２等辺三角形状の鋼板で形成されており、図５から明らかなように、その直角な角部６Ａを、２つの取付片４Ａ、４Ｂどうしが直角に溶接されている角部に合わせて、それぞれの斜辺近傍で上面がこれらの両方の取付片４Ａ、４Ｂの水平片ａの下面に溶接されている。
【００３９】
また、ブレース連結腕部７は、図５及び図６に示すように、水平部７Ａ（第１の水平部）、水平部７Ｂ（第２の水平部）、中継部７Ｃ、及び、左右一対の側板７Ｄから構成されている。
【００４０】
これらの２つの水平部７Ａ、７Ｂと中継部７Ｃは、一定幅の帯鋼を側面視略Ｚ字状に折り曲げ加工して一体に形成されており、上方の水平部７Ａは、その長手方向の中心線を支持板６の直角な角部６Ａの二等分線に合わせて、当該支持板６の下面に溶接して固定されている。
【００４１】
中継部７Ｃは、水平部７Ａの支持板６の底辺近傍位置から下方に所定長さ折り曲げて形成されている。また、水平部７Ｂは、中継部７Ｃの下端から、角部６Ａとは反対側に水平に折り曲げて形成されている。
【００４２】
また、前記一対の側板７Ｄは鋼製で、水平部７Ａ、７Ｂとそれぞれ等しい長さの平行な上辺と下辺を有する四辺形状に形成されており、前記帯鋼を間に挟んでその幅方向両側の縁にそれぞれ溶接されている。
【００４３】
図５及び図６に示すように、ブレース連結腕部７の下端に位置する水平部７Ｂには、ブレース２を連結するための取付孔ｈ２が形成されていて、ブレース２の一端部に形成された取付孔２Ａと前記取付孔ｈ２を合わせてボルト１２を貫通させ、反対側からナット１３を装着することにより、前記水平部７Ｂの下面にブレース２を連結固定している。
なお、本実施形態のものにおいては、ボルト１２とナット１３にはそれぞれ、高張力ボルトとこれに対応する高強度のナットが用いられている。
【００４４】
図３に示すように、それぞれのブレース２の、火打兼用ブレース連結具１側に連結される端部とは反対側の端部には、先端部にねじが形成されている高張力の鋼製のねじ棒２Ｂが溶接固定されている。
【００４５】
これらのねじ棒２Ｂの先端部は、鋼製の連結環３の周囲４箇所にそれぞれ形成されている図示しない取付孔を貫通させて、連結環３の内周側でダブルナット１４を螺着して連結環３に対して抜け止めされている。
【００４６】
図１に示すように各部屋の四隅の配置されている、火打兼用ブレース連結具１とこれらに連結されているそれぞれのブレース２は、設置する際に火打兼用ブレース連結具１どうしの対角線上に位置するように、連結環３に対するそれぞれのねじ棒２Ｂの連結位置を、ダブルナット１４を回動させて軸方向の調整をして適正位置で固定する。
【００４７】
なお、ダブルナット１４の調整は、各火打兼用ブレース連結具１側のボルト１２とナット１３を少しだけ緩めて、ブレース２がボルト１２回りに角変位可能な状態で行い、調整終了後、ボルト１２とナット１３どうしを締め付けて固定する。
【００４８】
図２に示すように、火打兼用ブレース連結具１は、胴差１０、１１に取り付けられる２つの取付片４Ａ、４Ｂの高さよりも、下面が低い位置にある梁１５が部屋の内側上方に存在している場合でも、ブレース２は、取付片４Ａ、４Ｂ間に支持板６を介して取り付けられたブレース連結腕部７の下端に連結されているため、梁１５との干渉を回避することができる。
【００４９】
また、取付片４Ａ、４Ｂ間に設けられている火打部材５は、横断面が上下に扁平な角形鋼管で形成されているため、十分な圧縮強度を確保しつつ、両側の取付片４Ａ、４Ｂの垂直片ｂ間にコンパクトに組み込むことができる。
【００５０】
その結果、火打部材５が胴差１０、１１の上面に配置されている、二階の床材１６を支える根太１７と干渉することがなく、火打兼用ブレース連結具１を柱９が連結されている縦横の胴差し１０、１１の隅部の狭いスペース内に容易に設置することができる。
【００５１】
また、ブレース連結腕部７は、幅の狭い帯状鋼板を側面視Ｚ字状折り曲げて形成した上下２つの水平部７Ａ、７Ｂと中継部７Ｃの両側の縁に、一対の側板７Ｄの内側の面を溶接して一体化した構造であるため、製作が容易であるとともに、ブレース２から受ける引っ張り力によって、ブレース連結腕部７に作用する水平軸線回りの曲げモーメントや、ブレース２が連結されている水平部７Ｂの長手方向に対して当該ブレース２の長手方向が水平面内で傾いている場合に作用する垂直軸線回りの捩りモーメントに対抗できる十分な剛性と強度を確保することができる。
【００５２】
また、直角二等辺三角形状の鋼板で形成されている支持板６は、それぞれの取付片４Ａ、４Ｂとブレース連結腕部７間を連結する役割を果たすとともに、火打部材５とともに、これらの取付片４Ａ、４Ｂ間の角度の変化を規制する補強部材としての役割を果たすため、地震発生時の縦横の胴差１０、１１間の角変位を防ぐことができ、火打兼用ブレース連結具１間に渡されているブレース２と協働して優れた耐震補強効果が得られる。
【００５３】
なお、ブレース連結腕部７の下方への突出寸法は、図２に示すように、取付片４Ａ、４Ｂからブレース２までの垂直距離Ｈが、ブレース２が部屋の内部に設けられている梁１５の下面と室内の天井化粧板１８を固定している野縁１９の上面の何れとも干渉しない範囲にあるように、火打兼用ブレース連結具１を設置する場所の状況に合わせて設定すればよい。
【００５４】
次に、図７は、本発明の第２の実施形態における火打兼用ブレース連結具の斜視図、図８はその縦断面図であって、これらの図中に示す火打兼用ブレース連結具１Ａにおいて、図３及び図６と同じ番号を付してある部材は、前述した火打兼用ブレース連結具１に用いられている部材と共通である。
【００５５】
この火打兼用ブレース連結具１Ａにおいては、鋼製の直角二等辺三角形状の支持板６’を、それぞれの取付片４Ａ、４Ｂの水平片ａどうしが溶接されている直角な隅部に角部６’Ａを合わせて、両側の斜辺をそれぞれ対向する取付片４Ａ、４Ｂの水平片ａの縁に溶接し、支持板６’の上面と両側の水平片ａの上面とが同一レベルになるように、これらの取付片４Ａ、４Ｂ間に固定してある。
【００５６】
また、図８に示すように、前記支持板６’は、火打部材５の外側の側面に底辺６’Ｂの縁を一致させて、火打部材５の下面と支持板６’の上面が溶接されている。なお、本実施形態のものにおいては、支持板６’の板厚は、取付片４Ａ、４Ｂに用いられている山型鋼の水平片ａの厚みに等しく、厚さ６ｍｍのものが用いられている。
【００５７】
前述したように、この火打兼用ブレース連結具１Ａは、支持板６’が、両側の取付片４Ａ、４Ｂと火打部材５の両方に溶接されているため、ブレース２からブレース連結腕部７に作用する曲げモーメントによる支持板６’のたわみ変形を防ぐことができ、前述した火打兼用ブレース連結具１と比較して、さらに、剛性と強度を高めることができる。
【００５８】
次に、図９は、本発明の第３の実施形態における火打兼用ブレース連結具を斜め下方から見た斜視図、図１０は、その縦断面図であって、これらの図に示す火打兼用ブレース連結具１Ｂにおいて、図７及び図８と同じ番号を付してある部材については、前述した火打兼用ブレース連結具１Ａに用いられている部材と共通である。
【００５９】
図９に示すように、この実施形態における火打兼用ブレース連結具１Ｂは、取付片４Ａ、４Ｂのそれぞれの水平片ａに対して、垂直片ｂが下方に向いた姿勢で設置されるものであり、前述した火打兼用ブレース連結具１Ａからブレース連結腕部７を除いた部分を上下逆向きにした状態で、その支持板６’の下面となる側に、ブレース連結腕部７’を着脱自在にボルト連結したものである。
【００６０】
この実施形態のものにおいては、ブレース連結腕部７’は、図１０に示すように、一定幅の帯鋼を側面視略Ｚ字状に折り曲げ加工して一体に形成された、水平部７’Ａ（第１の水平部）と水平部７’Ｂ（第２の水平部）及びこれらの間を上下に連結している中継部７’Ｃを有し、水平部７’Ｂの下面にブレース２の一端部がボルト１２とナット１３で連結固定される構造は、前述した火打兼用ブレース連結具１、１Ａのブレース連結腕部７と同様である。
【００６１】
しかしながら、火打兼用ブレース連結具１Ｂのブレース連結腕部７’では、水平部７’Ａが支持板６’の下面に溶接されておらず、また、上下２つの水平部７’Ａ、７’Ｂと中継部７’Ｃが形成されている帯鋼の幅方向両側の縁にそれぞれ溶接されている一対の鋼製の側板７’Ｄのそれぞれの上辺には、図１１に示すように、両外側に直角に折り曲げて形成された取付耳部７’Ｅが連設されている。
【００６２】
これらの取付耳部７’Ｅには、それぞれ３箇所にボルト孔ｈ３が形成されている。一方、支持板６’には、これらのボルト孔ｈ３とそれぞれ対応する位置に、図示していないボルト孔が形成されていて、それぞれの取付耳部７’Ｅの各ボルト孔ｈ３と、支持板６’側のボルト孔を合わせて両者の間にボルト２０を貫通させて、反対側からナット２１で固定することにより、ブレース連結腕部７’を支持板６’の下面に取り付けている。
なお、本実施形態のものにおいては、これらのボルト２０には、高張力ボルトが用いられており、またナット２１についても高強度のものが用いられている。
【００６３】
このような構造により、火打兼用ブレース連結具１Ｂを設置現場に搬入したり、保管する際には、ブレース連結腕部７’を支持板６’から取り外しておくことにより、搬入作業が容易になるとともに、保管しておく際のスペースを節約することができる。
【００６４】
さらに、上下寸法を異ならせたブレース連結腕部を複数種類製作しておき、残りの部分を同一仕様で共通に製作して、両者を適宜組み合わせることで、図２に示す梁１５のような、部屋の内側上方に存在する梁の下方にブレース２を通す場合に、梁の下面の高さの異なる様々な形態の木造家屋に対して、柔軟に対応することができる。
【００６５】
また、火打兼用ブレース連結具１Ｂの設置作業を行う場合には、図９に示すように、コーチボルト８が下方の室内側から締め付け可能な位置にあるため、設置工事の作業性を高めることができる。
【００６６】
さらに、図示による実施形態の説明は省略するが、先に図１乃至図６に基づいて説明した火打兼用ブレース連結具１においても、前述した火打兼用ブレース連結具１Ｂと同様に、ブレース連結部７を除く部分を上下逆向きにして、取付片４Ａ、４Ｂのそれぞれを、水平片ａに対して垂直片ｂが下方に向いた姿勢とし、この姿勢における支持板６の下面にブレース連結部７の上端を例えば図６のように溶接するか、若しくは、図１１のように分解可能にボルトで固定する構造としてもよい。
【００６７】
さらに、図１２は、本発明の第４の実施形態における火打兼用ブレース連結具を斜め下方から見た斜視図、図１３は、その設置状態を示す斜視図、図１４は、その縦断面図であって、これらの図に示す火打兼用ブレース連結具１Ｃは、前述した火打兼用ブレース連結具１Ｂに、鋼板製のガセットプレート２２をさらに追加したものである。
なお、図１２乃至図１４において、図９及び図１０と同じ番号を付してある部材については、前述した火打兼用ブレース連結具１Ｂに用いられている部材と共通である。
【００６８】
ガセットプレート２２は、互いに直角に連結されている一対の鋼板２２Ａ、２２Ｂから構成されており、これを平面視略Ｌ字形に縦向きにした姿勢で、図１４に示すように、その外側の直角な角部ｖの上端部を、互いに溶接されている一対の取付片４Ａ、４Ｂの垂直片ｂどうしの隅部ｃに合わせて、前記それぞれの鋼板の外側の面の上縁近傍部分が、対応するそれぞれの垂直片ｂの内側の側面に溶接されている。
【００６９】
なお、ここでは、ガセットプレート２２に、一枚の矩形状の鋼板の中央を直角に折り曲げ加工して製作したものを用いているが、個々の鋼板２２Ａ、２２Ｂどうしを直角に溶接して製作したものを用いてもよい。
【００７０】
また、図１２に示すように、本実施形態のものにおいては、ガセットプレート２２を構成している一対の鋼板２２Ａ、２２Ｂの上縁近傍部分にはそれぞれ、これらの鋼板２２Ａ、２２Ｂによって隠れる位置にある取付片４Ａ、４Ｂの取付孔ｈ１と重なる位置に、取付孔ｈ４が形成されていて、これらの取付孔ｈ４を通して図１３に示すように、ガセットプレート２２の上からコーチボルト８を装着できるようにしてある。
【００７１】
また、ガセットプレート２２を構成するそれぞれの鋼板２２Ａ、２２Ｂの下縁近傍部分には、図１３に示す補強バー２３、２４のそれぞれの端部をボルト連結するための、複数の取付孔ｈ５が形成されている。
【００７２】
なお、本実施形態のものにおいては、これらの補強バー２３、２４は、角形鋼管で製作されていて、部屋の上方周囲に縦横に配置されている胴差１０、１１の下方に並行して設置されている。
【００７３】
また、これらの補強バー２３、２４は、部屋の対角方向に設置されたブレース２（図１４に図示）の引っ張り荷重を受ける火打兼用ブレース連結具１Ｃから胴差１０、１１に作用する軸方向の圧縮荷重の一部を、ガセットプレート２２を介して分担することで、地震発生時等にブレース２に過大な張力が作用した場合に、胴差１０、１１の負荷を軽減してその曲がりや歪みを防ぐことができる。
【００７４】
図１５に示すように、ガセットプレート２２の内側の面に隣接している、これらの補強バー２３、２４の端部の側壁には、ガセットプレート２２側の取付孔ｈ５と重なる取付孔ｈ６が形成されていて、ボルト２６を取付孔ｈ６と取付孔ｈ５を貫通させてガセットプレート２２の外側の面でナット２７に螺着することにより、補強バー２３、２４をガセットプレート２２に固定している。
【００７５】
なお、これらの補強バー２３、２４の両端部のボルト２５を通す側壁と対向する部分は、大きく斜めに切断されて開口部が形成されており、この開口部からボルト２５の装着や締結等の作業を行えるようにしてある。
【００７６】
また、図１３に示すように、これらの補助バー２３、２４の中間部分は、部屋の側面に配置されている柱９’に、鋼板製の連結金物２５を介して連結されている。
図１６に示すように、連結金物２５は、矩形板状の接続片２５Ａの垂直な２辺から同じ側に折り曲げ形成された、一対の柱取付片２５Ｂを有しているとともに、接続片２５Ａの反対側の面に上下２段に水平に溶接された、一対の補強バー取付片２５Ｃを有している。
【００７７】
前記一対の柱取付片２５Ｂには、それぞれ上下２箇所に取付孔ｈ７が形成されており、また、一対の補強バー取付片２５Ｃのそれぞれの中央部には、取付孔ｈ８が形成されている。
【００７８】
これら一対の柱取付片２５Ｂの対向間隔は、柱９’の幅に適合するように設定されているとともに、一対の補強バー取付片２５Ｃの対向間隔は、補強バー２３、２４の上下幅に適合するように設定されており、図１７に示すように、これら一対の柱取付片２５Ｂと接続片２５を柱９’の三方の側面に当接させ、前記取付孔ｈ７にコーチボルト２８を差し込んで柱９’に螺入することにより、連結金物２５を柱９’に固定している。
【００７９】
また、同図に示すように、補強バー２３を一対の補強バー取付片２５Ｃ間に支持させて、これらの補強バー取付片２５Ｃの前記それぞれの取付孔ｈ８に、上下両側からボルト２９を、補強バー２３の上下の側面にあらかじめ形成してある図示しないねじ孔に螺合させて固定することで、補強バー２３と柱９’が一体に連結される。
【００８０】
また、ここでは詳細な図示は省略したが、補強バー２４についても同様にして柱９’と一体に連結されている。なお、補強バー２３、２４側には、ねじ孔の代わりに普通の孔を形成しておき、ボルト２９にタッピンボルトを用いて固定してもよい。
【００８１】
また、ガセットプレート２２や補強バー２３、２４の、製作誤差や設置位置等のバラツキに対応するために、ガセットプレートの取付孔ｈ５と補強バー２３、２４の取付孔ｈ６のいずれか一方を水平方向に長い長孔に形成して、補強バー２３、２４の取付位置を軸方向に調整できるようにしてもよい。
【００８２】
また、同様に、連結金物２５においても、取付孔ｈ７を縦長の長孔として、柱９’に対する取付位置を上下に調整できるようにしたり、取付孔ｈ８を横長にして補強バー２３、２４の長手方向にその固定位置を調整できるようにしてもよい。
【００８３】
さらに、前述した各実施形態におけるブレース連結腕部７、７’は、図６、図８、図１０、図１４に示しているように、側面視略Ｚ字状に折り曲げられた一定幅の帯鋼の幅方向両側の縁にそれぞれ一対の鋼製の側板７Ｄ、７’Ｄを溶接して製作されているが、本発明におけるブレース連結腕部は、このような構造のものに限定されるものではなく、少なくとも下端にブレースの端部をボルト連結するボルト孔が形成されている水平部を有し、ブレースから受ける水平軸回りの曲げモーメントや垂直軸周りの捩りモーメントに耐えられる強度と剛性を備えたものであればよい。
【００８４】
また、前述した各実施形態のものにおいては、これらの火打兼用ブレース連結具１、１Ａ、１Ｂ、１Ｃに連結するブレース２に、上下に扁平な矩形断面を有する平鋼で製作されたものを用いているが、本発明の火打兼用ブレース連結具に連結するブレースは、これに限定するものではなく、例えば、ブレース連結腕部にボルト連結可能な端部を有する鉄筋ブレース等の丸棒状のブレースを用いてもよい。
【産業上の利用可能性】
【００８５】
本発明の火打兼用ブレース連結具は、木造家屋に、部屋の対角線方向にブレースを渡して耐震補強を行う場合に、既設、新築を問わず、幅広く利用することが可能である。
【符号の説明】
【００８６】
１、１Ａ、１Ｂ、１Ｃ    火打兼用ブレース連結具
２                      ブレース
２Ａ                    取付孔
２Ｂ                    ねじ棒
３                      連結環
４Ａ、４Ｂ              取付片
５                      火打部材
６、６’                支持板
６Ａ，６’Ａ            角部
６’Ｂ                  底辺部
７、７’                ブレース連結腕部
７Ａ、７’Ａ（第１の）  水平部
７Ｂ、７’Ｂ（第２の）  水平部
７Ｃ、７’Ｃ            中継部
７Ｄ、７’Ｄ            側板
７’Ｅ                  取付耳部
８                      コーチボルト
９、９’                柱
１０、１１              胴差
１２                    ボルト
１３                    ナット
１４                    ダブルナット
１５                    梁
１６                    床材
１７                    根太
１８                    天井化粧板
１９                    野縁
２０                    ボルト
２１                    ナット
２２                    ガセットプレート
２２Ａ、２２Ｂ          鋼板
２３、２４              補強バー
２５                    連結金物
２５Ａ                  接続片
２５Ｂ                  柱取付片
２５Ｃ                  補強バー取付片
２６                    ボルト
２７                    ナット
２８                    コーチボルト
２９                    ボルト
ａ                      水平片
ｂ                      垂直片
ｃ                      隅部
ｈ１〜ｈ８              取付孔
ｖ                      角部
【図１】
2014145218.tif 000003
【図２】
2014145218.tif 000004
【図３】
2014145218.tif 000005
【図４】
2014145218.tif 000006
【図５】
2014145218.tif 000007
【図６】
2014145218.tif 000008
【図７】
2014145218.tif 000009
【図８】
2014145218.tif 000010
【図９】
2014145218.tif 000011
【図１０】
2014145218.tif 000012
【図１１】
2014145218.tif 000013
【図１２】
2014145218.tif 000014
【図１３】
2014145218.tif 000015
【図１４】
2014145218.tif 000016
【図１５】
2014145218.tif 000017
【図１６】
2014145218.tif 000018
【図１７】
2014145218.tif 000019